(57)【要約】【課題】使用時の引出部の引出突出量を少なくすると共に、ペットボトルなどの重量の大きいカップ類を安定して保持することができるようにする。【解決手段】インストルメントパネル２に形成された開口部３にカップホルダ本体４が取付けられ、カップホルダ本体４は、開口部３の内側に取付けられた本体ケーシング５と、本体ケーシング５内に引出自在に収容されてカップ類Ａを保持可能な引出部６とを備え、引出部６は、手前側にカップ底部保持部１１が凹設されると共に、インストルメントパネル２の開口部３に対する蓋体１２を有し、引出部６のカップ底部保持部１１には、奥側に設定された回動軸１３を中心として回動昇降可能なカップ側部保持部材１４が収容され、引出部６とカップ側部保持部材１４との間には、カップ側部保持部材１４を常時上方へ回動付勢する弾性部材１５が介装されるようにしている。【選択図】        図２
2004306924.tif 000002
【特許請求の範囲】
【請求項１】
インストルメントパネルに形成された開口部にカップホルダ本体が取付けられ、
該カップホルダ本体は、前記開口部の内側に取付けられた本体ケーシングと、本体ケーシング内に引出自在に収容されてカップ類を保持可能な引出部とを備え、
前記引出部は、手前側にカップ底部保持部が凹設されると共に、インストルメントパネルの開口部に対する蓋体を有し、
引出部のカップ底部保持部には、奥側に設定された回動軸を中心として回動昇降可能なカップ側部保持部材が収容され、
引出部とカップ側部保持部材との間には、カップ側部保持部材を常時上方へ回動付勢する弾性部材が介装されたことを特徴とするカップホルダ。
【請求項２】
前記引出部に対して蓋体を傾動可能に取付けると共に、引出部の収納時には蓋体がインストルメントパネルと略面一状態に傾斜し、引出部の引出時には蓋体が略直立するよう構成したことを特徴とする請求項１記載のカップホルダ。
【発明の詳細な説明】
【０００１】
【発明の属する技術分野】
この発明は、カップホルダに関するものである。
【０００２】
【従来の技術】
自動車などの車両では、車室内にカップホルダが設けられている。このようなカップホルダには、引出式のものが存在する（例えば、特許文献１参照）。
【０００３】
このような引出式のカップホルダは、通常、インストルメントパネルに形成された開口部の内側に取付けられた本体ケーシングと、この本体ケーシング内に引出自在に収容されてカップ類を保持可能な引出部とを備えている。そして、引出部には、カップ側部保持穴が形成され、カップ側部保持穴には、カップ底部保持部材が昇降可能に収容されている。
【０００４】
そして、使用時には、本体ケーシングから引出部を引出すようにする。すると、カップ側部保持穴に収容されたカップ底部保持部材が自重で下降される。この状態で、カップ側部保持穴にカップ類（マグカップや缶飲料やペットボトルを含む）を挿入して側部を保持させ、カップ類の底部をカップ底部保持部材に保持させるようにする。
【０００５】
反対に、不使用時には、引出部を本体ケーシング内へ収納させるようにする。
【０００６】
【特許文献１】
実用新案登録第２５８０５３０号
【０００７】
【発明が解決しようとする課題】
しかしながら、引出式のカップホルダでは、使用時に引出部の引出突出量が大きくなるという問題があった。また、引出部にカップ側部保持穴を形成し、カップ側部保持穴にカップ底部保持部材を昇降可能に収容するようにした場合、昇降可能なカップ底部保持部材は、その構造上、強度が不足するので、ペットボトルなどの重量の大きいカップ類を安定して保持することが困難であった。
【０００８】
そこで、本発明の目的は、上記の問題点を解消し、使用時の引出部の引出突出量を少なくすると共に、ペットボトルなどの重量の大きいカップ類を安定して保持することができるカップホルダを提供することにある。
【０００９】
【課題を解決するための手段】
上記課題を解決するために、請求項１に記載された発明では、インストルメントパネルに形成された開口部にカップホルダ本体が取付けられ、該カップホルダ本体は、前記開口部の内側に取付けられた本体ケーシングと、本体ケーシング内に引出自在に収容されてカップ類を保持可能な引出部とを備え、前記引出部は、手前側にカップ底部保持部が凹設されると共に、インストルメントパネルの開口部に対する蓋体を有し、引出部のカップ底部保持部には、奥側に設定された回動軸を中心として回動昇降可能なカップ側部保持部材が収容され、引出部とカップ側部保持部材との間には、カップ側部保持部材を常時上方へ回動付勢する弾性部材が介装されたカップホルダを特徴としている。
【００１０】
このように構成された請求項１にかかる発明によれば、引出部にカップ底部保持部を設けることにより、所要の強度が得られるので、ペットボトルなどの重量の大きいカップ類を安定して保持することができる。また、カップ側部保持部材を設けたことにより、カップ類に対する保持性を高めることができる。更に、カップ底部保持部にカップ側部保持部材を収容させるようにしたことにより、重量の大きいカップ類を安定して保持する機能を引出部の高さ寸法を抑えつつ得ることができる。加えて、カップ側部保持部材を奥側の回動軸を中心として回動昇降可能としたことにより、上昇時にカップ側部保持部材が奥側へ移動するので、その分、使用時の引出部の引出突出量を少なくすることができる。そして、引出部とカップ側部保持部材との間に弾性部材を介装したことにより、引出部の引出時にカップ側部保持部材が弾性力によって自動的に上昇するようにすることができる。
【００１１】
請求項２に記載された発明では、前記引出部に対して蓋体を傾動可能に取付けると共に、引出部の収納時には蓋体がインストルメントパネルと略面一状態に傾斜し、引出部の引出時には蓋体が略直立するよう構成した請求項１記載のカップホルダを特徴としている。
【００１２】
このように構成された請求項２にかかる発明によれば、引出部の収納時に蓋体がインストルメントパネルと略面一状態に傾斜することにより、収納時の見栄えを向上することができる。また、引出部の引出時に蓋体が略直立することにより、引出部の引出突出量を更に少なくすることができる。
【００１３】
【発明の実施の形態】
以下、本発明を具体化した実施の形態について、図示例と共に説明する。
【００１４】
図１〜図１１は、この発明の実施の形態を示すものである。
【００１５】
まず、構成を説明すると、自動車などの車両に対し、車室内に引出式のカップホルダ１を設ける。このカップホルダ１は、以下の構成を備えている。
【００１６】
即ち、図１〜図３に示すように、インストルメントパネル２に形成された開口部３にカップホルダ本体４が取付けられている。カップホルダ本体４は、開口部３の内側に取付けられた本体ケーシング５と、本体ケーシング５内に引出自在に収容されてカップ類Ａ（図９参照）を保持可能な引出部６とを備えている。なお、カップ類Ａには、マグカップや缶飲料やペットボトルなどを含むものとする。
【００１７】
この実施の形態のものでは、引出部６は、手前側（車両後方側）にカップ底部保持部１１が凹設されると共に、インストルメントパネル２の開口部３に対する蓋体１２を有している。
【００１８】
引出部６のカップ底部保持部１１には、引出部６のカップ底部保持部１１よりも奥側（車両前方側）に設定された回動軸１３を中心として回動昇降可能なカップ側部保持部材１４が収容され、引出部６とカップ側部保持部材１４との間には、カップ側部保持部材１４を常時上方へ回動付勢する弾性部材１５が介装されている。なお、回動軸１３は、カップホルダ本体４の幅方向に略水平に延設されている。
【００１９】
更に、引出部６に対して蓋体１２を傾動可能に取付けると共に、引出部６の本体ケーシング５への収納時には蓋体１２がインストルメントパネル２と略面一状態に傾斜し、引出部６の本体ケーシング５からの引出時には蓋体１２が略直立するよう構成されている。
【００２０】
上記をより具体的に説明すると、本体ケーシング５は、手前側と奥側に開口を有する略角筒状をしている。本体ケーシング５の手前側の開口には、インストルメントパネル２の開口部３に対向する拡大段差部２１が形成されている。この拡大段差部２１にはインストルメントパネル２に対する取付部２２が形成されている。この取付部２２は拡大段差部２１の両側部に取付けられているが、これに限るものではない。
【００２１】
この本体ケーシング５は、図４に示すように、上ケーシング２３と下ケーシング２４とに上下分割されている。上ケーシング２３と下ケーシング２４とは、係止部２５と係止爪部２６とから成る嵌合係止機構２７によってワンタッチで一体化し得るように構成されている。嵌合係止機構２７は、この例では、上ケーシング２３と下ケーシング２４との両側部における手前側の位置と奥側の位置に対し、片側２箇所、合計４箇所設定されている。
【００２２】
本体ケーシング５の奥側には、ラッチ装置２８が取付けられている。ラッチ装置２８は上ケーシング２３の下面側の幅中央部に形成された取付座２９に取付けられている。また、本体ケーシング５には、ラッチ装置２８と協働して引出部６を引出方向へ付勢する弾性部材３０が取付けられている。この弾性部材３０は、下ケーシング２４の上面側の幅端部近傍に形成された取付部３１に取付けられている。
【００２３】
上記引出部６は、図５に示すように、樹脂一体成形品であり、両側壁部３２と、両側壁部３２の手前側を連結する蓋体取付壁部３３と、両側壁部３２の奥側を連結する連結部３４とを一体に有している。そして、蓋体取付壁部３３と連結部３４との間にカップ底部保持部１１が凹設形成されている。このようなボックス構造とすることにより、カップ底部保持部１１には、所要の強度が確保される。なお、連結部３４の奥側に形成した傾斜面３５の幅中央部には、上記したラッチ装置２８に把持開放される爪部３６が突出形成されている。
【００２４】
また、上記カップ側部保持部材１４は、樹脂一体成形品であり、手前側が解放された平面視略コ字形状のカップ側部保持部３８と、このカップ側部保持部３８の両側部から略奥側へ向けて延設された回動アーム部３９とを有している。回動アーム部３９の先端はカップ底部保持部１１に形成した図示しない貫通穴から連結部３４の下方へ挿入され、連結部３４の下方に形成された回動軸１３に軸支されている。弾性部材１５はこの回動軸１３に外嵌されている。
【００２５】
そして、図２に示すように、回動アーム部３９の先端からは本体ケーシング５の上壁内面をカム面４１として倣うカムフォロワ４２が突設形成されている。このカムフォロワ４２は、連結部３４に形成された貫通孔４０から上方へ突出配置される。このカムフォロワ４２がカム面４１を倣っている状態では、カップ側部保持部材１４は弾性部材１５の弾性力に抗して倒伏・下降されカップ底部保持部１１内に収容されるように構成されている。そして、カム面４１の手前側部分には、カムフォロワ４２の倣いを解放する穴状または凹状の解放部４３が形成されている。カムフォロワ４２の倣いが解放された状態では、カップ側部保持部材１４は弾性部材１５の弾性力によって上方回動しカップ底部保持部１１から自動的に起立・上昇されるように構成されている。更に、この解放部４３の奥側には、カムフォロワ４２の倣いを解放状態から再閉状態へと移行する傾斜した移行面４４が形成されている。この移行面４４によって、カップ側部保持部材１４は、起立・上昇した状態から、弾性部材１５の弾性力に抗して強制的に倒伏・下降され、カップ底部保持部１１へと自動的に収容させられるように構成されている。
【００２６】
更に、図５に示すように、引出部６の蓋体取付壁部３３にはカップ類Ａの手前側の側部を保持する可動フラップ４６が設けられている。即ち、蓋体取付壁部３３の幅中央部には、可動フラップ４６の収容部４７が凹設または切欠き形成されている。この収容部４７の上部両側部には、可動フラップ４６の対応する上部両側部から突設された回動支持軸４６ａを軸支するための軸孔４８が形成されている。そして、蓋体取付壁部３３と可動フラップ４６との間には、可動フラップ４６を常時上方へ回動付勢する弾性部材４９が介装されている。この弾性部材４９は回動支持軸４６ａに外嵌されている。そして、カップ側部保持部材１４のカップ側部保持部３８の両側部には長孔５１が形成され、この長孔５１に、可動フラップ４６の先端両側部から延びるガイド軸部５２を嵌合して、カップ側部保持部材１４の昇降に対応して可動フラップ４６が可動されるよう構成している。この長孔５１は、カップ側部保持部材１４の昇降に対応して可動フラップ４６を案内するための略直線状をした主ガイド部５１ａと、大型のカップ類Ａの保持時（可動フラップ４６不使用時）に可動フラップ４６を収容部４７へ退避・収容させるための退避部５１ｂとで構成されている。
【００２７】
そして、蓋体１２は、縁部５５が奥側へ屈曲した略平皿形状を呈している。そして、蓋体１２の両側縁部５５の上部からは、内方へ向けて回動支持軸５６が突設されている。そして、引出部６の蓋体取付壁部３３の対応する両側縁部の上部には、この回動支持軸５６を収容する軸孔５７が形成されている。そして、蓋体１２と蓋体取付壁部３３との間には、蓋体１２の下部を常時奥側へ付勢する弾性部材５８が介装されている。この弾性部材５８は回動支持軸５６に外嵌されている。なお、回動支持軸５６は、カップホルダ本体４の幅方向に略水平に延設されている。
【００２８】
そして、図２に示すように、本体ケーシング５の拡大段差部２１の下辺部には、引出部６の収納時に蓋体１２をインストルメントパネル２と略面一状態に傾斜させるストッパ部６０が形成されている。また、蓋体１２の下部には、引出部６の引出時に蓋体取付壁部３３に係止して蓋体１２を略直立状態とする係止部６１が形成されている。更に、拡大段差部２１下部またはストッパ部６０の幅中央部には、図２、図４に示すように、引出部６の収納途中において、蓋体１２を略直立状態からインストルメントパネル２と略面一の傾斜状態へと確実に回動動作させるための突起７０が形成されている。これに応じて、蓋体１２下部または係止部６１の幅中央部には、図５に示すように、この突起７０を受ける受け部７１が凹設形成されている。
【００２９】
なお、図２に示すように、インストルメントパネル２は開口部３の周辺に側面視で下方へ進むに従い手前側へ向かう傾斜曲面形状を有しており、これに応じて、蓋体１２の外面を、インストルメントパネル２の傾斜曲面と略合致する曲面形状としている。また、カップ側部保持部材１４の回動アーム部３９に、インストルメントパネル２の開口部３および傾斜曲面との干渉を避けるための座繰部６５を形成して、回動上昇したカップ側部保持部材１４が開口部３の上縁部よりも奥側へ回り込めるように構成する（図９参照）。
【００３０】
また、本体ケーシング５および引出部６は、側面視直線形状としても良いが、この実施の形態では、インストルメントパネル２内の他の造作物との干渉を避けるために、側面視略円弧形状としている（上に凸となっている）。更に、この側面視略円弧形状の本体ケーシング５および引出部６は、手前側へ進むに従い上方へ向かう登り勾配となるように傾斜配置されている。
【００３１】
更に、図６に概略で示すように、引出部６の両側壁部３２には引出ガイド６８が形成されている。これに対応して本体ケーシング５の両側壁部３２内面にも同様の引出ガイド６９が形成されている。各引出ガイド６８，６９はそれぞれ突条とされ、本体ケーシング５および引出部６の側面視略円弧形状に沿った略円弧状に２条ずつ形成されている。そして、本体ケーシング５側の引出ガイド６９の上下を挟むように引出部６の引出ガイド６８が配設されている。
【００３２】
次に、この実施の形態の作用について説明する。
【００３３】
カップホルダ１の使用時には、図１、図２の収納状態から、図３、図７の中間引出状態を経て、図８、図９のように本体ケーシング５から引出部６を引出すようにする。すると、引出部６のカップ底部保持部１１に収容されたカップ側部保持部材１４が弾性部材１５の弾性力によって上昇される。この状態で、カップ側部保持部材１４にカップ類Ａ（マグカップや缶飲料やペットボトルを含む）を挿入してカップ類Ａの側部を保持させ、カップ類Ａの底部をカップ底部保持部１１に保持させるようにする。
【００３４】
この際、蓋体１２を軽く押すことにより、ラッチ装置２８が爪部３６を開放するので、弾性部材３０の弾性力が作用して引出部６が引出される。なお、引出部６は、弾性部材３０によって全部引出されるように構成しても、弾性部材３０によって半分程度引出された後に手で残りを引出すように構成しても良い。
【００３５】
そして、図２に示すように、引出部６の収納時には、本体ケーシング５の拡大段差部２１の下辺部に形成されたストッパ部６０に停止されることにより、蓋体１２はインストルメントパネル２と略面一状態に傾斜した状態とされている。この蓋体１２は、引出部６の引出しによってストッパ部６０から離れ、弾性部材４９の弾性力の作用により蓋体１２の下部が奥側へ回動して、係止部６１が蓋体取付壁部３３に係止することで、図８、図９に示すように、略直立状態となる。
【００３６】
更に、回動アーム部３９先端のカムフォロワ４２が本体ケーシング５の上壁内面をカム面４１として倣うことにより、カップ側部保持部材１４が弾性部材１５の弾性力に抗して倒伏・下降されカップ底部保持部１１内に収容された状態で引出部６が引出される。そして、引出部６が図９の完全引出状態となった時に、カムフォロワ４２がカム面４１の手前側の穴状または凹状の解放部４３によって倣いを解放されることにより、カップ側部保持部材１４は弾性部材１５の弾性力によって上方回動しカップ底部保持部１１から自動的に起立・上昇される。なお、カップ側部保持部材１４の回動アーム部３９に形成した座繰部６５により、回動上昇したカップ側部保持部材１４が開口部３の上縁部よりも奥側へ回り込むことができる。これにより、使用時の引出部６の引出突出量を少なくすることができる。
【００３７】
このカップ側部保持部材１４の起立・上昇に伴い、可動フラップ４６が上昇されて、カップ類Ａの側部を保持可能となる。なお、大型のカップ類Ａの保持時（可動フラップ４６不使用時）には、退避部５１ｂにガイドさせて、可動フラップ４６を収容部４７へ退避・収容させるようにすることもできる。
【００３８】
反対に、カップホルダ１の不使用時には、図８、図９の完全引出状態から、図３、図７の中間引出状態を経て、図１、図２のように引出部６を本体ケーシング５内へ収納させるようにする。
【００３９】
この際、弾性部材３０の弾性力に抗して蓋体１２の上部を押し込むことにより、ラッチ装置２８が爪部３６を把持するので、引出部６が収納状態で保持固定される。
【００４０】
そして、蓋体１２が、本体ケーシング５の拡大段差部２１の下辺部に形成されたストッパ部６０に停止されることにより、略直立状態から、図２に示すように、インストルメントパネル２と略面一状態に傾斜される。途中、図１０に示すように、拡大段差部２１下部またはストッパ部６０の幅中央部に形成された突起７０が、蓋体１２下部または係止部６１の幅中央部に凹設形成された受け部７１の下縁部に係止されることにより、蓋体１２下部の移動が規制されて蓋体１２の回動が開始される。そして、蓋体１２が有る程度回動すると、図１１に示すように、突起７０が蓋体１２下部または受け部７１の下縁部に対する係止状態を乗り越えて受け部７１内へ陥入され、以後、更に蓋体１２の回動が進行されて、最後に図２の傾斜状態となる。このように、突起７０と受け部７１を設けることにより、蓋体１２を確実に回動させることができるようになる。また、蓋体１２を確実に回動させる機構としての突起７０と受け部７１は、蓋体取付壁部３３下部と蓋体１２下部との間に無意識に指が入ってしまうのを誘発しにくい構成となっているので、蓋体１２のみに指がかかって蓋体１２に無理な力が作用し、蓋体１２が壊れてしまうようなことを防止することができる。
【００４１】
更に、図７に示すように、解放部４３の奥側に形成された傾斜した移行面４４でカムフォロワ４２の倣いが解放状態から再閉状態へと移行されることにより、カップ側部保持部材１４は、起立・上昇した状態から、弾性部材１５の弾性力に抗して強制的に倒伏・下降され、カップ底部保持部１１へと自動的に収容させられる。
【００４２】
このカップ側部保持部材１４の倒伏・下降に伴い、可動フラップ４６が下降される。
【００４３】
このように、この実施の形態によれば、引出部６にカップ底部保持部１１を設けることにより、所要の強度が得られるので、ペットボトルなどの重量の大きいカップ類Ａを安定して保持することができる。また、カップ側部保持部材１４を設けたことにより、カップ類Ａに対する保持性を高めることができる。更に、カップ底部保持部１１にカップ側部保持部材１４を収容させるようにしたことにより、重量の大きいカップ類Ａを安定して保持する機能を引出部６の高さ寸法を抑えつつ得ることができる。加えて、カップ側部保持部材１４を奥側の回動軸１３を中心として回動昇降可能としたことにより、上昇時にカップ側部保持部材１４が奥側へ移動するので、その分、使用時の引出部６の引出突出量を少なくすることができる。そして、引出部６とカップ側部保持部材１４との間に弾性部材１５を介装したことにより、引出部６の引出時にカップ側部保持部材１４が弾性力によって自動的に上昇するようにすることができる。
【００４４】
また、引出部６の収納時に蓋体１２がインストルメントパネル２と略面一状態に傾斜することにより、収納時の見栄えを向上することができる。また、引出部６の引出時に蓋体１２が略直立することにより、引出部６の引出突出量を更に少なくすることができる。
【００４５】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００４６】
【発明の効果】
以上説明してきたように、請求項１の発明によれば、引出部にカップ底部保持部を設けることにより、所要の強度が得られるので、ペットボトルなどの重量の大きいカップ類を安定して保持することができる。また、カップ側部保持部材を設けたことにより、カップ類に対する保持性を高めることができる。更に、カップ底部保持部にカップ側部保持部材を収容させるようにしたことにより、重量の大きいカップ類を安定して保持する機能を引出部の高さ寸法を抑えつつ得ることができる。加えて、カップ側部保持部材を奥側の回動軸を中心として回動昇降可能としたことにより、上昇時にカップ側部保持部材が奥側へ移動するので、その分、使用時の引出部の引出突出量を少なくすることができる。そして、引出部とカップ側部保持部材との間に弾性部材を介装したことにより、引出部の引出時にカップ側部保持部材が弾性力によって自動的に上昇するようにすることができる。
【００４７】
請求項２の発明によれば、引出部の収納時に蓋体がインストルメントパネルと略面一状態に傾斜することにより、収納時の見栄えを向上することができる。また、引出部の引出時に蓋体が略直立することにより、引出部の引出突出量を更に少なくすることができる、という実用上有益な効果を発揮し得る。
【図面の簡単な説明】
【図１】本発明の実施の形態の収納状態を示す斜め手前側から見た斜視図である。
【図２】図１の側方断面図である。
【図３】図１の中間引出状態を示す奥側斜め上方から見た斜視図である。
【図４】本体ケーシングの分解斜視図である。
【図５】引出部およびその他の部品の分解斜視図である。
【図６】引出ガイドを示す側方断面図である。
【図７】図１の中間引出状態を示す側方断面図である。
【図８】図１の完全引出状態を示す奥側斜め上方から見た斜視図である。
【図９】図１の完全引出状態を示す側方断面図である。
【図１０】図１の蓋体の回動動作を説明する側方断面図である。
【図１１】図１０に続く側方断面図である。
【符号の説明】
２    インストルメントパネル
３    開口部
４    カップホルダ本体
５    本体ケーシング
６    引出部
１１  カップ底部保持部
１２  蓋体
１３  回動軸
１４  カップ側部保持部材
１５  弾性部材
Ａ    カップ類
【図１】
2004306924.tif 000003
【図２】
2004306924.tif 000004
【図３】
2004306924.tif 000005
【図４】
2004306924.tif 000006
【図５】
2004306924.tif 000007
【図６】
2004306924.tif 000008
【図７】
2004306924.tif 000009
【図８】
2004306924.tif 000010
【図９】
2004306924.tif 000011
【図１０】
2004306924.tif 000012
【図１１】
2004306924.tif 000013